(57)【要約】【課題】壁面と一体化され等間隔で複数設けられた間柱が室内に露出した壁面の間柱に、取付支持具を利用して棚板やキャビネットを取り付け、簡易で高強度の壁面収納システムとその構築方法を提供する。【解決手段】壁面と一体化されて等間隔で設けられた複数の間柱のいずれか２本間に、両側面後端部に係合溝が設けられた棚板やキャビネットを、その係合溝に係合する取付支持具を前記間柱の側面に固定して、前記棚板やキャビネットの１個又は複数個を任意の位置に、任意の組み合わせで、簡便かつ高強度に取り付けられてなることを特徴とする壁面収納システム。【選択図】  図１
2014008119.tif 000002
【特許請求の範囲】
【請求項１】
壁面（３）と一体化されて等間隔で設けられた複数の間柱（２）のいずれか２本間に、両側面後端部に係合溝（６）が設けられた棚板（５）やキャビネット（４）を、その係合溝（６）に係合する取付支持具（１）を前記間柱（２）の側面に固定して、前記棚板（５）やキャビネット（４）の１個又は複数個を任意の位置に、任意の組み合わせで取り付けられてなることを特徴とする壁面収納システム。
【請求項２】
前記取付支持具（１）が、所定の厚みを有する小判型平板部材（１ａ）に複数のねじ孔（１ｂ）と複数の針（１ｃ）とを交互に配設してなることを特徴とする請求項１に記載の壁面収納システム。
【請求項３】
前記取付支持具（１）のねじ孔（１ｂ）が前記小判型平板部材（１ａ）の一方の端部を避けて設けられてなることを特徴とする請求項２に記載の壁面収納システム。
【請求項４】
前記取付支持具（１）の針（１ｃ）が、長さ８〜１２ｍｍ、直径０．３〜０．６ｍｍであることを特徴とする請求項２又は３に記載の壁面収納システム。
【請求項５】
前記取付支持具（１）の小判型平板部材（１ａ）が、強化プラスチック製であることを特徴とする請求項２〜４のいずれか１項に記載の壁面収納システム。
【請求項６】
前記棚板（５）が、前記間柱（２）の間隔寸法の幅で製作され、あるいは前記壁面（３）に当接する棚板（５）の背面に、前記壁面（３）から突出した間柱（２）を挿通させる間柱用切り込み（５ｃ）を設けて途中に介在する間柱（２）を跨いで離れた間柱（２）の間に取り付けられる寸法の幅で製作されてなり、また前記取付支持具（１）のみでは支持できない奥行きの大きい棚板（５）にあっては、前記棚板（５）の前端部を支持する吊り金具（８）を、当該棚板（５）の側面前端部近傍と、該棚板（５）を取り付けた取付支持具（１）の上方の間柱（２）の側面に所定間隔を置いて設けられた吊り金具取付突起（７）との間に架設してなることを特徴とする請求項１〜５のいずれか１項に記載の壁面収納システム。
【請求項７】
前記キャビネット（４）が、前記間柱（２）の間隔寸法の幅で製作され、あるいは壁面に当接する背面に、前記壁面（３）から突出した間柱（２）を挿通させる間柱挿通空間（５ａ）を設けて、途中に介在する間柱（２）を跨いで離れた間柱（２）の間に取り付けられる寸法の幅で製作されてなり、両者を任意に組み合わせて配置されてなることを特徴とする請求項１〜５のいずれか１項に記載の壁面収納システム。
【請求項８】
請求項１〜７に記載の壁面首脳システムが、
ａ．棚板（５）やキャビネット（４）の取付位置と取付角度を定め、当該間柱（２）の側面に取付支持具（１）の取付位置及び取付角度を示す印を付け、その位置にその角度で前記取付保持具（１）をその針（１ｃ）を使って仮止めする第１ステップと、
ｂ．２本の間柱に仮止めされた二つの取付支持具の取付位置、取付角度のずれの有無を確認し、必要に応じて微調整を行った後、ねじ孔（１ｂ）を介して前記取付支持具（１）を前記間柱（２）の側面にねじ止めによって固定する第２ステップと、
ｃ．前記棚板（５）又はキャビネット（４）の両側面に設けられた係合溝（６）の開口部を間柱（２）に固定された取付支持具（１）にあてがい、該取付支持具（１）に沿って棚板（５）又はキャビネット（４）の背面が壁面（３）に当接するまで挿入する第３のステップと、
ｄ．前記取付支持具（１）のみでは支持できない奥行きの大きい棚板（４）にあっては、前記棚板（５）の前端部を支持する吊り金具（８）を、当該棚板（５）の側面前端部近傍と、該棚板（５）を取り付けた取付支持具（１）の上方の間柱（２）の側面に所定間隔を置いて設けられた吊り金具取付突起（７）との間に架設する第４のステップと
によって構築されることを特徴とする壁面収納システムの構築方法。
【発明の詳細な説明】
【技術分野】
【０００１】
本発明は、壁面と一体化されて等間隔で設けられた複数の間柱のいずれか２本の間に、棚板やキャビネットを１又は複数個、取付支持具によって任意の位置に簡易に取付て構成できる壁面収納システム、及び同壁面収納システムの構築方法に関する。
【背景技術】
【０００２】
棚板やキャビネットを壁面に取り付ける器具や方法に関してはさまざまな発明が開示されている。例えば、特開２００４−１３８２１９号公報（特許文献１）には、
「被取付物を、壁面にネジ止めされる壁面固定部材を介して前記壁面に取り付ける壁面取付構造であって、前記壁面固定部材の上下端部それぞれの近傍には前記壁面にねじ込む固定ネジが挿通される固定ネジ孔が設けられ、前記壁面固定部材の高さ方向中間部にはピン止め孔が設けられ、前記被取付物の後面には前記壁面固定部材を回転不能かつ上下方向スライド可能に左右から挟み込む一対の案内レールが設けられ、前記被取付物の前記一対の案内レールの間には、前後方向に貫通する挿通ピン孔が設けられ、前記被取付物は、挿通ピンを前記挿通ピン孔に前面側から貫通して前記壁面固定部材の前記ピン止め孔に挿通させることにより、前記壁面固定部材に結合されることを特徴とする壁面取付構造。（請求項１）」が開示されている。
そして、段落〔００５３〕〜〔００５４〕には、
「〔００５３〕この壁掛け型展示棚１の壁面Ｗへの設置作業では、まず、壁面Ｗに壁面固定部材５を取り付ける。この際、図７に示すように、一般的な家屋の構造では壁材Ｂの奥側に上下方向に延びる間柱Ｃが存在するので、これを探し出し、壁面固定部材５の上下の固定ネジ孔５２、５２からこの間柱Ｃに対して、固定ネジＳ、Ｓをねじ込み、壁面固定部材５を壁面Ｗに取り付ける。
〔００５４〕このように間柱Ｃに壁面固定部材５をねじ込むことで壁面固定部材５の壁面Ｗへの高い取付強度を得ることができる。このとき、壁面固定部材５の固定ネジ孔５２、５２は上下に設けられているため、１本の間柱Ｃに対して、確実に２本の固定ネジＳ、Ｓをねじ込むことが可能である。また、固定ネジＳ、Ｓは上下に配されているので左右に配されている場合と比べ、下向きに作用する荷重に対して強度面で有利である。」
と記載されている。
しかし、この発明においては、壁材Ｂの奥（裏側）に存在する間柱Ｃを探し出して壁面取付部材５を取り付けねばならず、探し当てたとしても間柱Ｃの中心部にねじ止めできるという保証はない。また、取り外した場合、壁材Ｂにネジ孔趾が残るという問題がある。
【先行技術文献】
【特許文献】
【０００３】
【特許文献１】特開２００４−１３８２１９号公報
【発明の概要】
【発明が解決しようとする課題】
【０００４】
本発明は、上記背景技術に鑑みてなされたもので、当社の実用新案登録第３１６０２６１号の「建築物の壁体構造」による壁面、すなわち壁面と一体化され等間隔で複数本の間柱が室内側になるよう構成された壁面において、室内に露出した間柱に取付支持具を利用して棚板やキャビネットを任意なレイアウトで簡易に取り付けられ、かつ取付強度高い壁面収納システムとその構築方法を提供する。
【課題を解決するための手段】
【０００５】
本発明者は上記課題を下記の手段により解決した。
（１）壁面と一体化されて等間隔で設けられた複数の間柱のいずれか２本間に、両側面後端部に係合溝が設けられた棚板やキャビネットを、その係合溝に係合する取付支持具を前記間柱の側面に固定して、前記棚板やキャビネットの１個又は複数個を任意の位置に、任意の組み合わせで取り付けられてなることを特徴とする壁面収納システム。
【０００６】
（２）前記取付支持具が、所定の厚みを有する小判型平板部材に複数のねじ孔と複数の針とを交互に配設してなることを特徴とする前項（１）に記載の壁面収納システム。
（３）前記取付支持具のねじ孔が前記小判型平板部材の一方の端部を避けて設けられてなることを特徴とする前項（２）に記載の壁面収納システム。
（４）前記取付支持具の針が、長さ８〜１２ｍｍ、直径０．３〜０．６ｍｍであることを特徴とする前項（２）又は（３）に記載の壁面収納システム。
（５）前記取付支持具の小判型平板部材が、強化プラスチック製であることを特徴とする前項（２）〜（４）のいずれか１項に記載の壁面収納システム。
【０００７】
（６）前記棚板が、前記間柱の間隔寸法の幅で製作され、あるいは前記壁面に当接する棚板の背面に、前記壁面から突出した間柱を挿通させる間柱用切り込みを設けて、途中に介在する間柱を跨いで離れた間柱の間に取り付けられる寸法の幅で製作されてなり、また前記取付支持具のみでは支持できない奥行きの大きい棚板にあっては、前記棚板の前端部を支持する吊り金具を、当該棚板の側面前端部近傍と、該棚板を取り付けた取付支持具の上方の間柱の側面に所定間隔を置いて設けられた吊り金具取取付突起との間に架設してなることを特徴とする前項（１）〜（５）のいずれか１項に記載の壁面収納システム。
【０００８】
（７）前記キャビネットが、前記間柱の間隔寸法の幅で製作され、あるいは壁面に当接する背面に、前記壁面から突出した間柱を挿通させる間柱挿通空間を設けて、途中に介在する間柱を跨いで離れた間柱の間に取り付けられる寸法の幅で製作されてなり、両者を任意に組み合わせて配置されてなることを特徴とする前項（１）〜（５）のいずれか１項に記載の壁面収納システム。
【０００９】
（８）前項（１）〜（７）のいずれか１項に記載の壁面収納システムが、
ａ．棚板やキャビネットの取付位置と取付角度を定め、当該間柱の側面に取付支持具の取付位置及び取付角度を示す印を付け、その位置にその角度で前記取付保持具をその針を使って仮止めする第１ステップと、
ｂ．２本の間柱に仮止めされた二つの取付支持具の取付位置、取付角度のずれの有無を確認し、必要に応じて微調整を行った後、ねじ孔を介して前記取付支持具を前記間柱の側面にねじ止めによって固定する第２ステップと、
ｃ．前記棚板又はキャビネットの両側面に設けられた係合溝の開口部を間柱に固定された取付支持具にあてがい、該取付支持具に沿って棚板又はキャビネットの背面が壁面に当接するまで挿入する第３のステップと、
ｄ．前記取付支持具のみでは支持できない奥行きの大きい棚板にあっては、前記棚板の前端部を支持する吊り金具を、当該棚板の側面前端部近傍と該棚板を取り付けた取付支持具の上方の間柱の側面に所定間隔を置いて設けられた吊り金具取取付突起との間に架設する第４のステップと
によって構築されることを特徴とする壁面収納システム構築方法。
【発明の効果】
【００１０】
本願発明の壁面収納システム及び同壁面収納システム構築方法によって下記の効果が発揮される。
〈１〉壁面と一体化されて等間隔で設けられた複数の間柱のいずれか２本間に、両側面後端部に係合溝が設けられた棚板やキャビネットを、その係合溝に係合する取付支持具を前記間柱の側面に固定して、前記棚板やキャビネットの１個又は複数個を任意の位置に、任意の組み合わせで取り付けられるので、用途に適合したレイアウトの壁面収納システムが簡便に構築でき、変更も容易となる。
そして、前記取付支持具が間柱の側面にねじ止めされるので、壁面を傷つけることなく、レイアウトを変更しても壁面にはねじ孔趾が残らず、したがって居間や客間における壁面収納システムとして活用できる。
〈２〉また、棚板やキャビネットが壁面と一体化されて設けられた間柱に取り付けられるので、従来の床に据え置いて使用される収納家具のように転倒する心配は無く、また、キャビネットを床面から離して取り付けておけば、床面の清掃も容易になる。
【００１１】
〈３〉前記取付支持具が、所定の厚みを有する小判型平板部材に複数のねじ孔と複数の針とを交互に配設されているので、取付支持具の間柱への仮止めが前記複数の針によって行え、棚板やキャビネットの両側を支持する二つの支持金具の取付位置、取付角度のずれの微調整が容易にでき、かつ、その後のねじ止めによる位置ずれや角度ずれも抑制でき、またねじ孔と針とが交互に配設されているので、電動工具の使用が可能となり、ねじ止め作業が容易にかつ正確に実施できる。
そして、ねじ止め後の前記取付支持具は、前記複数のねじと複数の針とによって間柱に強固に固定されるので、ねじ止めのみの場合に比べて高い固定強度が確保される。
【００１２】
〈４〉前記棚板やキャビネットが、前記間柱の間隔寸法の幅で製作され、あるいは前記壁面に当接する背面に、前記壁面から突出した間柱を挿通させる間柱用切り込み又は間柱挿通空間を設けて、途中に介在する間柱を跨いで離れた間柱間に取り付けられる寸法の幅で製作されているので、用途に応じた形状の棚板やキャビネットを随意選択して壁面にレイアウトすることができる。
そして、キャビネットの間柱への取り付けは、キャビネットの両側面後端部に設けられた係合溝を間柱に固定された取付支持具に係合するだけでよく、また取付支持具のみでは支持できない奥行きの大きな棚板にあっては、前記棚板の前端部を支持する吊り金具を、当該棚板の側面前端部近傍と該棚板を取り付けた取付支持具の上方の間柱の側面に所定間隔を置いて設けられた吊り金具取付突起との間に架設して行えばよく、極めて簡便に実施できる。
〈５〉また、本壁面収納システムが、棚板やキャビネットの両側面後端部に係合溝を設けることと、間柱に固定する取付支持具を備えるだけでよく、低コストで実現できる。
【図面の簡単な説明】
【００１３】
【図１】本発明の壁面収納システムの一実施例の正面図
【図２】取付支持具の構造図［（ａ）上面図（ｂ）正面図（ｃ）側面図］
【図３】間柱への取付支持具とキャビネットの取付方法説明図（例１）
【図４】間柱への取付支持具とキャビネットの取付方法説明図（例２）
【図５】間柱への取付支持具と棚板の取付方法説明図
【図６】吊り金具を使用する棚板と吊り金具の斜視図
【図７】簀の子状棚板（ａ）、折りたたみできる棚板（ｂ）の上面図及び側面図
【図８】キャビネットの間柱挿通空間を示す斜視図
【図９】ハンガーラックの斜視図
【発明を実施するための形態】
【００１４】
本発明の壁面収納システムを実施するための形態を、実施例の図に基づいて説明する。
図１は本発明の壁面収納システムの一実施例の正面図、図２は取付支持具の構造図［（ａ）上面図（ｂ）正面図（ｃ）側面図］、図３は間柱への取付支持具とキャビネットの取付方法説明図（例１）、図４は間柱への取付支持具とキャビネットの取付方法説明図（例２）、図５は間柱への取付支持具と棚板の取付方法説明図、図６は吊り金具を使用する棚板と吊り金具の斜視図、図７は簀の子状棚板（ａ）、折りたたみできる棚板（ｂ）の上面図及び側面図、図８はキャビネットの間柱挿通空間を示す斜視図、図９はハンガーラックの斜視図である。
図において１は取付支持具、１ａは小判型部材、１ｂはねじ孔、１ｃは針、２は間柱、３は壁面、４はキャビネット、４ａは間柱挿通空間、５は棚板、５ａは吊り金具用切欠溝、５ｂは吊り金具固定孔、５ｃは間柱用切り込み、６は係合溝、６ａは突出溝部、７は吊り金具取付突起、８は吊り金具、８ａは環状部、８ｂは傾斜部、８ｃは鉛直部、８ｄは棚板支持部、８ｅは固定部、９は蝶番、１０はハンガーラック、１０ａは腕木、１０ｂは腕木固定板、１０ｃはパイプを示す。
【００１５】
本発明の壁面収納システムは、図１に示すように、壁面３と一体化されて等間隔で設けられた複数の間柱２のいずれか２本間に、両側面後端部に係合溝６が設けられた棚板５やキャビネット４を、その係合溝６に係合する取付支持具１を前記間柱２の側面に固定して、前記棚板５やキャビネット４の１個又は複数個を任意の位置に、任意の組み合わせで取り付けられてなるものである。
この壁面収納システムの構築に当たって間柱２の側面に固定して棚板５やキャビネット４を取り付け支持する取り付け支持具１は、図２に示すように、所定の厚みを有する小判型平板部材１ａに複数のねじ孔１ｂと複数の針１ｃとを交互に配設してなり、かつ前記取付支持具１のねじ孔１ｂが前記小判型平板部材１ａの一方の端部を避けて設けられており、針１ｃとしては、長さ８〜１２ｍｍ、直径０．３〜０．６ｍｍのものが前記小判型平板部材１ａの裏面にその先端を突出して埋め込まれている。そして、前記小判型平板部材１ａは、強化プラスチック製であることが好ましい。
【００１６】
図３〜図５に間柱２へのキャビネット４及び棚板５の取付方法を示した。
図３は奥行きのある重量負荷の大きいキャビネット４を取り付ける場合であって、その重量を支持するため取付支持具１の間柱２への取付は鉛直であることが好ましい。したがってキャビネット４の両側面後端部の係合溝６は、図２に示すように高さが取付支持具１の長さに等しく、深さが取付支持具１の厚みに等しい矩形状であって、係合溝６の最奥に上方に向かって取付支持具１の上端が係合する突出溝部６ａを設けた構造となっている。
したがって、この奥行きのあるキャビネットは、まず矩形状の係合溝６の開口部を間柱２に固定された取付支持具１にあてがって壁面３に向かって押し込み、最後に上方に突出させて設けた突出溝部６ａを前記取付支持具１の上端に落とし込んで取り付ける。このため前記取付支持具１は、キャビネット４が取り付けられたとき、その背面が壁面２に確実に当接されるようその間柱２への取付位置に注意して施工しておく必要がある。
【００１７】
図４は奥行きが短く、重量負荷の小さいキャビネット４を取り付ける場合であって、取付作業の簡便さを目的にキャビネット４の両側面後端部の係合溝６が前方を上にして傾斜した構造として設けられている。したがって取付支持具１を間柱２にキャビネット４の係合溝６の傾斜角と合致させて固定し、キャビネット４の係合溝６を前記取付支持具１の先端にあてがい、前記取付支持具１に沿って、背面が壁面３に当接するまで滑り込ませて取り付ける。
【００１８】
図５は棚板５を取り付ける場合であって、取付支持具１は、棚板５の両側面後端部の係合溝６に合わせて間柱２に水平に取り付けられる。そして、前記取付支持具のみでは支持できない奥行きの大きい棚板５にあっては、該棚板５を支持する前記取付支持具１の上方の間柱２の側面に所定間隔を置いて吊り金具取付突起７を設け、該吊り金具取付突起７と当該棚板５の側面前端部近傍との間に、前記記棚板の前端部を支持する吊り金具８を架設する。
前記吊り金具８は、図６に示すように、上端部が前記吊り金具取付突起７に係止する環状部８ａと、この環状部８ａから前方に向けて下向きに傾斜してなる傾斜部８ｂと、前記傾斜部８ｂの先端から前記棚板５の前端部近傍で鉛直に下方に折り曲げられた鉛直部８cと、前記鉛直部８ｃの先端から棚板５の下面に沿って内側の折り曲げられ前記棚板５の下面に当接して支える棚板支持部８ｄと、前記棚板支持部の先端が上方に折り曲げられ棚板５に穿った吊り金具固定孔５ｂに挿入し、吊り金具と棚板５とを固定する固定部８ｅとが一体として形成された金属棒状体であることが好ましい。
そして、この吊り金具８は、取り付ける棚板５の奥行き寸法に合わせて、大きさの異なる複数種が用意されてなることが好ましく、また、棚板５の両側面の前端近傍には、図６に示すように前記吊り金具８の鉛直部８ｃを挿通するための切欠溝５ａと前記吊り金具８を棚板５に固定する吊り金具固定孔５ｂとが設けられる必要がある。
なお、吊り金具８は上記形状に限られるものでなく、棚板５の前端部が支持できる形状のものであればいずれの形状のものであってもよい。
【００１９】
本発明の壁面収納システムにおけるキャビネット４としては、前面が引き違い戸、両開き戸を備えたものであってよく、そのいずれもが設置場所に適合してガラス戸、木製戸、あるいは襖や布貼りの扉であってもよい。また、引き出しを備えたキャビネットであってもよい。
また、図３、図４においては隣り合う２本の間柱２の間でのキャビネット４の取付構造と取付方法を説明したが、図８に示すようにキャビネット４の背面に前記壁面３から突出した間柱２を挿通させる間柱挿通空間４ａが設けられたキャビネットであれば、途中に介在する間柱２を跨いで離れた間柱２の間に同様な取付構造、取付方法で随時取り付けて使用できる。
【００２０】
本発明の壁面収納システムにおける棚板５としては、通常の平板のみならず図７（ａ）に示す簀の子状棚板や図７（ｂ）に示す折り畳み可能な棚板の使用も可能である。
また、図５においては隣り合う２本の間柱２の間での棚板５の取付構造と取付方法を説明したが、図７の簀の子状棚板や折り畳み可能な棚板に表示したように、棚板５の背面に、前記壁面３から突出した間柱２を挿通させる間柱用切り込み５ｃを設ければ、途中に介在する間柱２を跨いで離れた間柱２の間に同様な取付構造、取付方法で随時取り付けて使用できる。
【００２１】
さらに、図９に示すハンガーラック１０の使用も可能である。
前記ハンガーラック１０は、図９に見られるように、壁面から斜上方に突出するよう形成された２個の腕木１０ａ、１０ａが腕木固定板１０ｂの左右に固定されて前記２本の間柱２、２の間隔に保持され、両腕木１０ａの外側面に間柱２に取り付けられた取付支持具１に係合する係合溝が設けられ、そして両腕木１０ａ、１０ａ間にパイプを渡設して形成されている。したがって両腕木１０ａ、１０ａの係合溝６を間柱２に取り付けられた取付支持具１を係合することによって棚板５やキャビネット４と同様に容易に取り付けられ又取り外しできる。
【００２２】
本発明の壁面収納システム構築方法は、次のステップによって実施される。
まず取付作業に入るまでに、これから構築する壁面収納システムの構築目的、構築場所等を勘案し、どのような棚板５とどのようなキャビネット４をどのように配置するかを考えて設計図を作成する。そしてその設計図に基づき、
ａ．棚板５やキャビネット４の取付位置と取付角度を定め、間柱２の側面に取付支持具１の取付位置、取付角度を示す印を付け、その位置にその角度で前記取付保持具１を取付支持具１の針１ｃを使って仮止めする（第１ステップ）。
ｂ．そして２本の間柱２に仮止めされた二つの取付支持具１、１の取付位置、取付角度のずれの有無を確認し、必要に応じて微調整を行った後、ねじ孔１ｂを介して前記取付支持具１を前記間柱２の側面にねじ止めし固定する（第２ステップ）。
ｃ．次いで前記棚板５又はキャビネット４の両側面後端部に設けられた係合溝６の開口部を先に間柱２に固定された取付支持具１にあてがい、該取付支持具１に沿って棚板５又はキャビネット４の背面が壁面３に当接するまで挿入する（第３のステップ）。
ｄ．前記取付支持具のみでは支持できない奥行きの大きい棚板５にあっては、前記棚板５の側面前端部と、当該棚板５の係合溝６に係合された取付支持具１の上方の間柱２に所定間隔を置いて設けられた吊り金具取付突起９との間に前記棚板５の前端部を支持する吊り金具８を架設する（第４のステップ）。
この壁面収納システム構築方法においては、前記取付支持具１の間柱２への仮止めが取付支持具１の針１ｃによって行われるので、棚板５やキャビネット４の両側面後端部の係合溝６に係合される取付支持具１の取付位置や取付角度のずれの修正が容易にでき、また取付支持具１のねじ孔２ｂと針２ｃが交互に設けられていることから、その後のねじ止めによる位置ずれや角度ずれも抑制でき、電動工具の使用が可能となり、ねじ止め作業が容易にかつ正確に実施できることになる。
また、間柱２に固定された取付支持具１への棚板５やキャビネット４の取り付けも、棚板５やキャビネット４の両側面後端部の係合溝６の開口部を前記取付支持具１にあてがい、前記棚板５やキャビネット４を前記取付支持具１に沿ってその背面が壁面３に当接するまで挿入するという簡便な方法で実施できる。
さらに、取付支持具１の間柱２の側面への固定位置を変えるだけで、使用目的に合致しかつ使いやすいレイアウトの壁面収納システムが構成でき、かつ変更も容易となる。また、取付支持具１のねじ止めが間柱２の側面に行われるので壁面３を傷つけることがなく、レイアウトの変更後もねじ孔跡のない壁面が確保される。
【符号の説明】
【００２３】
１：取付支持具
１ａ：小判形部材
１ｂ：ねじ孔
１ｃ：針
２：間柱
３：壁面
４：キャビネット
４ａ：間柱挿通空間
５：棚板
５ａ：吊り金具用切欠溝
５ｂ：吊り金具固定孔
５ｃ：間柱用切り込み
６：係合溝
６ａ：突出溝部
７：吊り金具取付突起
８：吊り金具
８ａ：環状部
８ｂ：傾斜部
８ｃ：鉛直部
８ｄ：棚板支持部
８ｅ：固定部
９：蝶番
１０：ハンガーラック
１０ａ：腕木
１０ｂ：腕木固定板
１１ｃ：パイプ
【図１】
2014008119.tif 000003
【図２】
2014008119.tif 000004
【図３】
2014008119.tif 000005
【図４】
2014008119.tif 000006
【図５】
2014008119.tif 000007
【図６】
2014008119.tif 000008
【図７】
2014008119.tif 000009
【図８】
2014008119.tif 000010
【図９】
2014008119.tif 000011